(57)【要約】【課題】  外周に絶縁シートが巻き付けられている外面電極蛍光ランプの端部の挿入作業がしやすく、また確実にランプ端の保持をすることができるランプ保持装置を提供する。【解決手段】  ランプ端１Ａを受け部材１２のランプ端挿入孔１２Ａに挿入する際に外面電極蛍光ランプ１の最外周に巻き付けられている絶縁シート５の巻き終り部分５Ａの凹凸をその逃げ部１４で逃がすようにし、ランプ端挿入孔の径をランプ径とほぼ同等の大きさにしながらもランプ端の挿入作業をしやすくし、また確実にランプ端の保持をすることができるようにした。【選択図】      図１
2006147295.tif 000002
【特許請求の範囲】
【請求項１】
ガラスランプ管の外壁に一対の外面電極を設け、前記外面電極に絶縁シートが巻き付けられた構造の外面電極蛍光ランプを保持するランプ保持装置であって、
前記ガラスランプ管の一端部に前記外面電極を支持するホルダーを設置し、
前記ガラスランプ管の他端部にランプ受け部材を設置し、
前記受け部材には、前記外面電極蛍光ランプのランプ端を挿入するランプ端挿入孔を形成すると共に、当該ランプ端挿入孔の縁に前記絶縁シートの巻き終り部分を逃がすための逃げ部を形成したことを特徴とするランプ保持装置。
【請求項２】
前記逃げ部は、受け部材に設けた逃げ溝であることを特徴とする請求項１に記載のランプ保持装置。
【請求項３】
前記逃げ部は、前記受け部材に設けた逃げ窓であることを特徴とする請求項１に記載のランプ保持装置。
【発明の詳細な説明】
【技術分野】
【０００１】
本発明は、コピー機やスキャナー等のＯＡ機器の文書読取り光源、液晶ディスプレイのバックライト光源に使用する外面電極蛍光ランプを保持するランプ保持装置に関する。
【背景技術】
【０００２】
図３、図４に示すような外面電極蛍光ランプ１が知られている。この外面電極蛍光ランプ１は、ガラスランプ管２の外壁の相反する２カ所に外面電極３，４を貼り付け、それらの外周に絶縁シート５を巻き付け、また外面電極３，４の一端にリード端子６，７を接続した構成である。
【０００３】
このような外面電極蛍光ランプを照明装置に取り付けるために、照明装置には図５に示すようなランプ保持装置１０が装備されている。このランプ保持装置１０は、蛍光ランプ１のリード端子６，７の側を保持し、電源にリード端子６，７を接続するランプホルダー１１と、蛍光ランプ１の他端を保持する受け部材１２から構成されている。そして蛍光ランプ１のランプ保持装置への装着に当たっては、受け部材１２に対して蛍光ランプ１の一端を深く挿入し、その後にその蛍光ランプ１を逆方向に滑らさせてリード端子６，７のある側をランプホルダー１１に対して挿入し、電気的接続と共に機械的な保持を行う。
【０００４】
この従来のランプ保持装置１０では、図６に示すように受け部材１２に蛍光ランプ１の絶縁シート５の外周径よりやや大きめのランプ端挿入孔１２Ａが形成してあり、このランプ端挿入孔１２Ａに蛍光ランプ１のランプ端１Ａを挿入することになる。
【０００５】
ここで蛍光ランプ１の照明装置への装着に際しては光学設計上誤差が少ない取付が必要であり、また振動で動くことがあってはならない。このため、従来のランプ保持装置では、受け部材１２のランプ端挿入孔１２Ａの径を絶縁シート５の外周径とほぼ同等の大きさの真円の孔としているため、図７に示すようにランプ端１Ａを挿入する時に絶縁シート５の巻き終り端が孔の縁に引っかかってめくれてシートめくれ８が発生し、このシートめくれ８が発生するとその外径が大きくなり、受け部材１２のランプ端挿入孔１２Ａにランプ端１Ａを挿入できなくなる不具合が発生することがある問題点があった。
【０００６】
図８に示す構造の分割体１２−１，１２−２で構成される逃げ部材１２についても、両者間にランプ端挿入孔１３を形成するようにしているが、上記と同様にランプ端１Ａを挿入する時に同様に絶縁シート５の巻き終り部がランプ端挿入孔１３に引っかかり、シートめくれが発生することがあった。
【発明の開示】
【発明が解決しようとする課題】
【０００７】
本発明は上述した従来の技術的課題に鑑みてなされたもので、受け部材のランプ端挿入孔内に逃げ部を形成することによって、ランプ端を受け部材のランプ端挿入孔に挿入する際に外面電極蛍光ランプの最外周に巻き付けられている絶縁シートの巻き終り部分の凹凸をその逃げ部で逃がすようにし、ランプ端挿入孔の径をランプ径とほぼ同等の大きさにしながらもランプ端の挿入作業をしやすくし、また確実にランプ端の保持をすることができるランプ保持装置を提供することを目的とする。
【課題を解決するための手段】
【０００８】
請求項１の発明は、ガラスランプ管の外壁に一対の外面電極を設け、前記外面電極に絶縁シートが巻き付けられた構造の外面電極蛍光ランプを保持するランプ保持装置であって、前記ガラスランプ管の一端部に前記外面電極を支持するホルダーを設置し、前記ガラスランプ管の他端部にランプ受け部材を設置し、前記受け部材には、前記外面電極蛍光ランプのランプ端を挿入するランプ端挿入孔を形成すると共に、当該ランプ端挿入孔の縁に前記絶縁シートの巻き終り部分を逃がすための逃げ部を形成したことを特徴とするものである。
【０００９】
請求項２の発明は、請求項１のランプ保持装置において、前記逃げ部は、受け部材に設けた逃げ溝であることを特徴とするものである。
【００１０】
請求項３の発明は、請求項１のランプ保持装置において、前記逃げ部は、前記受け部材に設けた逃げ窓であることを特徴とするものである。
【発明の効果】
【００１１】
本発明によれば、受け部材にランプ端挿入孔と共に、外面電極蛍光ランプの最外周に位置する絶縁シートの巻き終り部分を逃がすための逃げ溝或いは逃げ窓のような逃げ部を形成したことによって、ランプ端挿入孔の径を蛍光ランプの外径とほぼ同等にしても絶縁シートの巻き終り部を逃げ部によって逃がし、絶縁シートの巻き終り部にめくれを発生させることなくランプ端挿入孔に蛍光ランプのランプ端を挿入することができ、ランプ挿入のしやすさとランプ端の確実な保持とが可能となる。
【発明を実施するための最良の形態】
【００１２】
以下、本発明の実施の形態を図に基づいて詳説する。図１は本発明の第１の実施の形態のランプ保持装置における受け部材１２に対する外部電極型蛍光ランプ１の端部の挿入状態を示している。本実施の形態のランプ保持装置の構成は図５に示したものと同様である。そして、受け部材１２については図１に示した構成である。すなわち、受け部材１２のランプ端を挿入する部分に、ランプ端１Ａの外径とほぼ同等の内径のランプ端挿入孔１２Ａを形成し、さらにそのランプ端挿入孔１２Ａの縁の一部に逃げ溝１４を形成している。
【００１３】
このようなランプ保持装置１０に装着する外面電極蛍光ランプ１は図３に示した従来と同様のものである。
【００１４】
そして従来同様の図３に示した構成の外面電極蛍光ランプ１を本実施の形態のランプ保持装置１０に装着する場合、まず蛍光ランプ１のランプ端１Ａを受け部材１２のランプ端挿入孔１２Ａに差し込む。この際、図１に示したような蛍光ランプ１の最外周の絶縁シート５の巻き終り部５Ａの凹凸部分を逃げ溝１４の位置に合わせて挿入する。
【００１５】
これにより、絶縁シート５の巻き終り部５Ａがランプ端挿入孔１２Ａの縁に引っかかることがなく、スムーズにしかもほぼ隙間なくランプ端挿入孔１２Ａ内に密着するようにして挿入でき、がたつきなくランプ端１Ａの保持が可能となる。
【００１６】
なお、ランプ保持装置１０の受け部材１２は図２に示した構成にすることもできる。図２に示した第２の実施の形態における受け部材１２では、ランプ端挿入孔１２Ａの一部を外側まで切り込み、逃げ窓１５を形成したことを特徴としている。このような逃げ窓１５を受け部材１２のランプ端挿入孔１２Ａの一部に形成することによっても第１の実施の形態と同様に、絶縁シート５の巻き終り部５Ａがランプ端挿入孔１２Ａの縁に引っかかることがなく、スムーズにしかもほぼ隙間なくランプ端挿入孔１２Ａ内に密着するようにして挿入でき、がたつきなくランプ端１Ａの保持が可能となる。
【図面の簡単な説明】
【００１７】
【図１】本発明の第１の実施の形態における受け部材に対するランプ端挿入状態での断面図。
【図２】本発明の第２の実施の形態における受け部材に対するランプ端挿入状態での断面図。
【図３】上記実施の形態、従来例で使用する外面電極蛍光ランプの斜視図。
【図４】図３におけるＡ−Ａ′線の断面図。
【図５】従来例のランプ保持装置の斜視図。
【図６】従来例における受け部材に対するランプ端挿入状態での断面図。
【図７】従来例における受け部材に対してランプ端を挿入した時に発生する絶縁シートめくれを示す説明図。
【図８】他の従来例における受け部材に対するランプ端挿入状態での断面図。
【符号の説明】
【００１８】
１  蛍光ランプ
２  ガラスランプ管
３  外面電極
４  外面電極
５  絶縁シート
５Ａ  巻き終り部
１０  ランプ保持装置
１１  ランプホルダー
１２  受け部材
１２Ａ  ランプ端挿入孔
１４  逃げ溝
１５  逃げ窓
【図１】
2006147295.tif 000003
【図２】
2006147295.tif 000004
【図３】
2006147295.tif 000005
【図４】
2006147295.tif 000006
【図５】
2006147295.tif 000007
【図６】
2006147295.tif 000008
【図７】
2006147295.tif 000009
【図８】
2006147295.tif 000010